Podtech/llm-jp-corpus-v4-ja_patent huggingface dataset:
(57)【要約】      （修正有）【課題】従来のくず入れに加えてティッシュペーパーの箱を保持させることによって、ティッシュペーパーを使用後すぐに捨てることが出来、なお且つ置場所もとらないので便利である。【解決手段】家庭用くず入れの対面する２面に市販の箱型ティッシュペーパーの断面の大きさを切り取り、そこに箱型のティッシュペパーを入れ、くず入れと一体となるようにするものである。【選択図】図１
0003142526.tif 000002
【実用新案登録請求の範囲】
【請求項１】
家庭用くず入れの対面する２面に市販の箱型ティッシュペーパーの断面の大きさを切り取り、そこに箱型のティッシュペーパーを入れ、くず入れと一体となるようにした箱型ティッシュペーパー収納付くず入れ。
【考案の詳細な説明】
【技術分野】
【０００１】箱型のティッシュペーパーを収納できるくず入れである。
【背景技術】
【０００２】従来のくず入れは、単にティッシュペーパーなどを捨てることのできる開口部があるのみであった。
【考案の開示】
【考案が解決しようとする課題】
【０００３】従来のくず入れに加えてティッシュペーパーの箱を保持させることにより、ティッシュペーパーを使用後すぐに捨てることが出来、なお且つ置場所もとらない。
【課題を解決するための手段】
【０００４】ティッシュペーパーを使用する際くず入れを必要としますが、その２つをセット化することで便利さとスマートさを兼ね備えたものであり、切れ込みの位置はくず入れの中央、端等くず入れのデザインによって自由に入れられるようにした箱型ティッシュペーパー収納付くず入れである。
【考案の効果】
【０００５】ティッシュペーパーの箱とくず入れを一体化することにより、ティッシュペーパー使用後にすぐに捨てることが出来て便利である。また、２つを１つにまとめることによってティッシュペーパーの置場所も確保されるので、場所をとらないものである。
【考案を実施するための最良の形態】
【０００６】家庭用のくず入れの対面する２面に市販のティッシュペーパーの箱の断面の大きさの切れ込みを入れ、そこにティッシュペーパーの箱を入れ、くず入れと一体となるようにした箱型ティッシュペーパー収納付くず入れである。ティッシュペーパーの使用後、くず入れを必要としますが、その２つをセット化することで便利さとスマートさを兼ね備えたものであり、切れ込みの位置はくず入れの中央、端等くず入れのデザインによって自由に入れられるものである。ただし、くず入れをふさいでしまわないほうが使いやすくて便利である。
【実施例】
【０００７】箱型ティッシュペーパー収納付くず入れ、図１．１．くず入れ本体開口部上面中央に２．ティッシュペーパーの箱が保持されるように３．の形状に切り取る。図２．１．くず入れ本体開口部上面端に２．ティッシュペーパーの箱が保持されるように３．の形状に切り取る。
【図面の簡単な説明】
【０００８】
【図１】（ａ）（ｂ）は第１実施例の斜視図である。
【図２】（ａ）（ｂ）は第２実施例の斜視図である。
【符号の説明】
【０００９】１．くず入れ  ２．箱型ティッシュペーパー  ３．切り取り部
【図１】
0003142526.tif 000003
【図２】
0003142526.tif 000004
(57)【要約】      （修正有）【課題】巻取り及び収納が容易なごみ飛散防止網を提供する。【解決手段】ごみ押え網１の一辺に網引き出し用取っ手兼骨３を付け、その対辺に収納棚２を固定し、網引き出し用取っ手兼骨３と平行になるように取っ手兼骨４，５を収納棚２との間に奇数又は複数本固定する。ごみ押え網１を引き出す時は、収納棚より網引き出し用取っ手兼骨３を持って収納棚２より引き出し、収納時は取っ手兼３，４，５を持って収納棚２に収納する。【選択図】図２
0003142524.tif 000002
【実用新案登録請求の範囲】
【考案の詳細な説明】
【技術分野】
【０００１】本考案は、収納棚と引き出し用取っ手兼骨及び取っ手兼骨を固定した網からなる収納棚付きごみ押え網に関する。
【背景技術】
【０００２】従来のごみ飛散防止用網は、枠組みした箱に網を貼り付けたものや、網を巻き込んで収納するものが大半である。
公開番号  特開２００４−５１３１２
公開番号  特開２０００−２３３８０３
【考案の開示】
【考案が解決しようとする課題】
【０００３】しかしながら、枠組みした箱は設置場所に広い面積を有するし、網を巻き込んで収納場合には、網が束ねたりして巻取りがしにくい上に巻き込み事故が起こる可能性もあるなどの欠点があった。
【課題を解決するための手段】
【０００４】本考案は、ごみ押え網の一辺に収納棚を取り付け、対辺に向けて取っ手兼骨を平行且つ均等に固定後に網先端に引き出し用取っ手兼骨を固定する。
【考案の効果】
【０００５】ごみ押え網を使用するときは、網が収納された状態から引き出し用取っ手兼骨を引くことで順序良く引き出され、ごみの量に応じた面積分だけ引き出すことができる。網を収納する場合は引き出し用取っ手兼骨と中央部分の取っ手兼骨を持つ事で網の長さは二つ・三つ折りになり長さが短くなるし、取っ手兼骨が支えになり、たわみ難く収納棚に収納し易い。また、ごみ収集後の景観美化になる。
【考案を実施するための最良の形態】
【０００６】図１に示されるように、網１の一辺に引き出し用取っ手兼骨３と対辺に収納棚２を固定し、引き出し用取っ手兼骨３と収納棚２間に平行且つ均等に取っ手兼骨４・５を固定する。【０００７】図２に示すように、引き出し用取っ手兼骨３及び取っ手兼骨４・５を持つことで網１の長さが１／２・１／３・１／４となる上に、横へのたわみを出し用取っ手兼骨３と取っ手兼骨４・５の長さ分だけ防げるので持ちやすくなり収納棚２に収納しやすい。また、収納棚２から引き出すときも、引き出し用取っ手兼骨３は上に収納されているので網１は絡まることも無く引き出せる。
【図面の簡単な説明】
【０００８】
【図１】平面図である。
【図２】側面図である。
【図３】網を収納した時の側面図である。
【図１】
0003142524.tif 000003
【図２】
0003142524.tif 000004
【図３】
0003142524.tif 000005
【手続補正書】
【提出日】平成20年4月1日(2008.4.1)
【手続補正１】
【補正対象書類名】実用新案登録請求の範囲
【補正対象項目名】全文
【補正方法】変更
【補正の内容】
【実用新案登録請求の範囲】
【請求項１】
ごみ押え網の一辺に網引き出し用取っ手兼骨を付けその対辺に収納棚を固定し、網引き出し用取っ手兼骨と平行になるように取っ手兼骨を収納棚との間に奇数又は複数本固定した収納棚付ごみ押え網。
【手続補正２】
【補正対象書類名】図面
【補正対象項目名】全図
【補正方法】変更
【補正の内容】
【図１】
0003142524.tif 000006
【図２】
0003142524.tif 000007
【図３】
0003142524.tif 000008
(57)【要約】      （修正有）【課題】水に浮かべて使用する浮きろうそくを、より安全に使用できるようにした浮きろうそく用フロート板を提供する。【解決手段】浮きろうそく用フロート板３は、防水加工した厚紙、または比重の低い樹脂製で、水に浮く。略円板状の浮きろうそく用フロート板３中央に、浮きろうそく２Ａ、あるいは水に浮くろうそく立てにろうそくを立てたもの、などを浮かべることのできる大きさの孔３１を設けてある。孔３１の径Ａならびにフロート板３の外径Ｂは、使用しようとする容器や、浮きろうそく２Ａの大きさに準じて適宜定めればよい。【選択図】図１
0003142594.tif 000002
【実用新案登録請求の範囲】
【請求項１】
防水加工した厚紙、または比重の低い樹脂製で、略円板状の中央に、浮きろうそく（２Ａ）を浮かべることのできる大きさの孔（３１）を設けたことを特徴とする浮きろうそく用フロート板（３）。
【請求項２】
着水状態で略透明であることを特徴とする請求項１に記載の浮きろうそく用フロート板（３）。
【考案の詳細な説明】
【技術分野】
【０００１】
本発明は、水に浮かべて使用する浮きろうそくを、より安全に使用できるようにした浮きろうそく用フロート板に関する。
【背景技術】
【０００２】
ろうそくは、停電時等の非常用の光源としての使用のほか、仏壇、神棚等の灯明用としてもひろく用いられている。しかし、点火したまま放置して使用場所を離れたりすると倒れて周囲に燃え移る危険があり、用済み後の手まめな消火を励行するように注意はなされているものの、完全は期し難い。このため、コップ等の透明な容器に水を入れ、ろうそくを水に浮かべるフローティング式のろうそくが考案されている。
【０００３】
本出願人はさきに、実願２００８−１０２４号を以て、小型ろうそく用ろうそく立てを出願した。これを図面により簡単に説明する。
図３は小型ろうそく用ろうそく立て１を示す斜視図で、１１は略円板状のろうそく立ての本体、１２はその中央に設けられたろうそくを立てる孔である。本体１１は水に浮き、かつ水が染み込まないように防水加工した厚紙、または比重の低い（水に浮く）樹脂製の薄い板で、中央の孔１２には、小型ろうそくをしっかりと保持するようになっている。
【０００４】
図４は小型ろうそく用ろうそく立て１に小型ろうそく２を立てた状態を示す正面図で、２１は芯糸である。この状態で芯糸２１をつまんで小型ろうそく用ろうそく立て１を容器の水に浮かべ、ライター、マッチ等で点火して使用する。図５は使用状態を示す斜視図で、Ｃはコップ等の水を入れる透明な容器である。炎が上に出ない程度に、容器に少なめに水を入れる。本体１１が容器Ｃの内面に接触しても、炎の中心は本体１１の半径分だけ容器Ｃから離れているから、火が消えることはない。
【０００５】
この他、球状や皿状のろうの中に芯糸を入れたものや、全体を花形に構成したもの、ろうを着色したものなど、前記の水に浮くろうそく立てとろうそくを一体とし、装飾性を加味したさまざまな浮きろうそくも市販されている。
【特許文献１】実願２００８−１０２４号明細書
【考案の開示】
【考案が解決しようとする課題】
【０００６】
ところで、こうした浮きろうそくは、図５に示すようなコップ等の小さな容器に入れて使用する場合は特に問題はないが、鉢や水盤等の大型の容器に、しかも多数浮かべて華麗な光の装飾として使用する場合などに、浮きろうそくが水面の一方に片寄って容器の縁に接近し、炎の熱で容器が割れたり、他の浮きろうそくに接近してくっついてしまうなどの問題点がある。
【０００７】
本考案は、このような問題点を解消し、容器や他のろうそくとの距離を保持したまま所定時間燃焼するよう、浮きろうそくの安全性を向上させるためのフロート板を提供することを目的とする。
【課題を解決するための手段】
【０００８】
本考案は、防水加工した厚紙、または比重の低い樹脂製で、略円板状の中央に、浮きろうそくを浮かべることのできる大きさの孔を設けたことを特徴とする浮きろうそく用フロート板であって、好ましくは着水状態で略透明であることを特徴とする前記の浮きろうそく用フロート板である。
【考案の効果】
【０００９】
本考案によれば、浮きろうそくと容器、あるいは他の浮きろうそくとの距離が保持され、安全性が向上すると同時に、炎による装飾効果も損なわれることがなくなるという、すぐれた効果を奏する。
【考案を実施するための最良の形態】
【００１０】
本考案の実施例を図面により説明する。
図１は実施例のフロート板の使用状態を示す平面図、図２は同じく斜視図で、１は前記特許文献１に記載の水に浮かぶろうそく立て、２Ａは浮きろうそく、３はフロート板、３１はフロート板３の中央に設けられた孔、Ｖは大型の容器である。
本考案の浮きろうそく用フロート板３は、防水加工した厚紙、または比重の低い樹脂製で、水に浮く。略円板状の浮きろうそく用フロート板３中央に、浮きろうそく２Ａ、あるいは水に浮くろうそく立てにろうそくを立てたもの、などを浮かべることのできる大きさの孔３１を設けてある。図１において、孔３１の径Ａならびにフロート板３の外径Ｂは、使用しようとする容器Ｖや、浮きろうそく２Ａの大きさに準じて適宜定めればよい。いずれにしても、浮きろうそく２Ａは孔３１の内部だけで浮遊するので、容器の縁や、他の浮きろうそくとの距離が、フロート板３の片側の幅、すなわち
１／２・（Ｂ−Ａ）＋α  （αは浮きろうそくの半径）
以下になることがないから、炎による容器の焼損や、他の浮きろうそくとの接着等のトラブルが発生することはない。
【００１１】
なお、フロート板３の材質、あるいは塗色を吟味することによって、着水状態でほぼ透明に見えるようにすることができる。そうすると、ちょっと見ただけではフロート板３の存在はわからず、単に浮きろうそくのみが浮いているように見え、本考案の美的効果をいっそう増大させることができる。
本考案のフロート板３は１回毎に使い捨てる必要はなく、使用可能な限り何回でも繰り返し使用できる。
【図面の簡単な説明】
【００１２】
【図１】本考案実施例のフロート板の使用状態を示す平面図である。
【図２】本考案実施例のフロート板の使用状態を示す斜視図である。
【図３】本考案に係わる小型ろうそく用ろうそく立てを示す斜視図である。
【図４】本考案に係わる小型ろうそく用ろうそく立てに小型のろうそくを立てた状態を示す正面図である。
【図５】本考案に係わる小型ろうそく用ろうそく立ての使用状態を示す斜視図である。
【符号の説明】
【００１３】
１    小型ろうそく用ろうそく立て
２    小型ろうそく
２Ａ  浮きろうそく
３    フロート板
１１    （ろうそく立ての）本体
１２、３１    孔
２１    芯糸
Ｃ    容器
Ｖ    大型の容器
【図１】
0003142594.tif 000003
【図２】
0003142594.tif 000004
【図３】
0003142594.tif 000005
【図４】
0003142594.tif 000006
【図５】
0003142594.tif 000007
(57)【要約】【課題】遊技中のパチンコ台の個別情報を周囲の騒音を気にすることなく楽しめるようにヘッドホーン付きパチンコ台を提供する。【解決手段】パチンコ台にヘッドホーン機能を設け、遊技者はヘッドホーンを装着する事により自分が遊技している台の個別情報を入手できると同時に、周囲の騒音を気にせず自分自身の遊技を楽しめる。【選択図】図１
0003142533.tif 000002
【実用新案登録請求の範囲】
【請求項１】
ヘッドホーン付きパチンコ台
【請求項２】
ヘッドホーン機能付きパチンコ台
【請求項３】
イヤホーン付きパチンコ台
【請求項４】
イヤホーン機能付きパチンコ台
【考案の詳細な説明】
【技術分野】
【０００１】本考案はパチンコ台にヘッドホーンを付ける事により、遊戯中のパチンコ台の音楽、効果音、予告情報を聞くと同時に遊技場の騒音を防ぐものである。
【背景技術】
【０００２】従来はパチンコ台にヘッドホーンもしくはイヤホーンを装着したパチンコ台は無かった。
【考案の開示】
【考案が解決しようとする課題】
【０００３】パチンコホールでは色々な騒音が混じりあってうるさく自分が遊戯中のパチンコ台の効果音、予告情報に集中できない。
【課題を解決するための手段】
【０００４】パチンコ台にヘッドホーン機能を備え、脱着式のヘッドホーンの利用を可能にする。
【考案の効果】
【０００５】パチンコ台にヘッドホーンを装着し、ヘッドホーンを着用することにより周囲の騒音を減少し、自分の遊技中の音楽、効果音、予告情報を周囲の騒音に邪魔されることなく楽しめる。
【図面の簡単な説明】
【０００６】
【図１】本考案の構成図である。
【符号の説明】
【０００７】１  パチンコ台
２  ヘッドホーン装着口
３  ヘッドホーン
【図１】
0003142533.tif 000003
(57)【要約】      （修正有）【課題】取り付けが非常に簡単で、胸ポケットの納まりも良く、はずれる事がなく、さらに安定性があり、危険性のないＪ型安全クリップを提供する。【解決手段】鉄・ステンレスなどを材質として全体をＵ字状の平板クリップ本体１、を形成し、その開口側の端部の一方は、やや底面方向に下り勾配を持たせた傾斜角を形成した上で、下方向から平面方向へ湾曲させた鉤型クリップ部３となし、他方、開口側の端部を前記鉤型クリップ部の先端よりもやや長く突出するように、かつ下方向にわずかに傾斜をもたせ延設して線条端部４となし、板状プレートなどに挿設可能としたことを特徴とする、Ｊ型安全クリップ。【選択図】図１
0003142537.tif 000002
【実用新案登録請求の範囲】
【請求項１】
鉄・ステンレス・強化樹脂等を材質として全体をＵ字状の平板にクリップ本体に形成し、その開口側の端部の一方は、やや底面方向に下り匂配を持たせた傾斜角を形成した上で、下方向から平面方向へ湾曲させた鉤型クリップ部となし、他方、開口側の端部を前記鉤型クリップ部の先端よりもやや長く突出するように、かつ下方向にわずかに傾斜をもたせ延設して線条端部となし、板状プレートなどに挿設可能としたことを特徴とするＪ型安全クリップ。
【考案の詳細な説明】
【技術分野】
【０００１】この考案は主に学生服、事務服等の制服、ジャケット、バック類等のネームプレートに使用するピン・クリップに関するものである。
【背景技術】
【０００２】従来、アクリル樹脂製ネームプレートに附属するクリップの技術としては、その裏面に安全ピンを附着させるか、Ｕ型クリップを固定する技術が広く知られているところである。
【考案の開示】
【考案を解決しようとする課題】
【０００３】これは次のような欠点があった。
（イ）安全ピンの場合、指に誤ってピンの先を刺してしまったりして危険性が高い。
（ロ）安全ピンの場合、ピンの先で生地を幾度も通すため生地を痛めた。
（ハ）安全ピンの場合、一本の鉄線等で留めていたため、安定性に欠けていた。
（ニ）Ｕ型クリップ、または挟み型クリップはぬけやすい。
（ホ）上記の安全クリップ、または安全ピンはともに外部からみえるため、デザイン上も芳しいとは言えない。
本考案は、以上の欠点を解決するために考案されたものである。
【課題を解決するための手段】
【０００４】本考案の構成について、図１及び図２の実施例を参照しつつ説明すれば、図１は本考案Ｊ型安全クリップの正面図を示すものであるが、全体を平板状に、かつＵ字状になるように（図２参照）、鉄・ステンレス等で形成してクリップ本体（１）と強化樹脂等で形成されたネームプレート（５）を鉤型クリップ部（３）を密着する。ここ形成される開口部によって、線条は２つの部分に分かれるわけだが、その一方は先端部を下から上（平面）方向へカーブする湾曲部として形成する。この際、湾曲部の底辺は、平板の底面よりも下方向に勾配をもたせた傾斜角を有するように形成するものとする。これによって形成された、鉤型クリップ部（３）は、アクリル樹脂や他の樹脂でつくられたネームプレートの端部に挿し込み、また一度挿し込まれた同プレートが抜けにくくなるための構造を採用している。次に本考案の線条端部（４）について説明すれば、鉤型クリップ部位置より、やや長くなるように（図１参照）に形成し、その先端部分を上から下（底面）方向に曲げ形成する。また、Ｊ型安全クリップ専用ポケットを形成し、強化樹脂等からなるネームプレートには凸スナップ、専用ポケットに凹スナップを形成する。本考案は、以上のような構成からなるＪ型安全クリップである。
【考案の効果】
【０００５】本考案のＪ型安全クリップは、取り付けが非常に簡単で、胸ポケットの納まりも良く、安全性があるために機能性もよく、はずれる事がない。また、袋状内部に収納するために外部からはクリップがみえないため、デザイン上も芳しい。さらに強化樹脂からなるネームプレートには凸スナップ、専用ポケットには凹スナップを設け留めることにより、安定かつ突起物がないため完全である。
【考案を実施するための最良の形態】
【０００６】以下、本考案の実施例について説明する。
（イ）鉄・ステンレスなどの材質として全体をＵ字状に平板クリップ本体を形成し、その開口側の端部の一方は、やや底面方向に下り勾配を持たせた傾斜角を形成した上で、下方向から平面方向へ湾曲させた鉤型クリップ部となし、他方、開口側の端部を前記鉤型クリップ部の先端よりもやや長く突出するように、かつ下方向にわずかに傾斜をもたせ延設して線条端部とし、強化樹脂等板状ネームプレートなどに挿設する。
（ロ）胸ポケットなど、生地に直接本考案のＪ型安全クリップを留める場合は、クリップが挿入可能な幅、長さのポケットをつくり、かつクリップと同じサイズ幅、長さに縫製する。挿入口の仕様は、２枚布を合わせクリップの挿入幅のみをあけ、他は縫い合わせる。挿入口の位置は、プレートの大きさ等、任意により決定し、線条端部（４）を納める位置をポケット内につくる。
（ハ）素材が合皮等から形成されるＪ型安全クリップ専用ポケットが考えられ、その場合は、生地に直接縫製するのと同様、クリップが挿入可能な幅に縫製し、挿入は丸型状にあけ、生地に取り付ける。
（ニ）あらかじめ、ネームプレートの裏面に凸スナップを接着し、専用ポケットには凹スナップをネームプレートの凸スナップ位置に合わせ付ける。
【図面の簡単な説明】
【０００７】
【図１】本考案Ｊ型安全クリップの正面図
【図２】本考案Ｊ型安全クリップの平面図
【図３】本考案Ｊ型安全クリップが樹脂プレートに固定された正面図
【図４】本考案Ｊ型安全クリップが樹脂プレートに固定された平面図
【符号の説明】
【０００８】１  クリップ本体
２  Ｕ字型湾曲部
３  鉤型クリップ部
４  線条端部
５  ネームプレート先端部分
６  ネームプレート本体
７  凸凹スナップ
【図１】
0003142537.tif 000003
【図２】
0003142537.tif 000004
【図３】
0003142537.tif 000005
【図４】
0003142537.tif 000006
(57)【要約】      （修正有）【課題】窓の網戸溝や玄関、勝手口の外開き戸に網戸と防犯機能の２重構造を一体にした防犯型網戸を併設し、防犯と通風、防虫をする窓や玄関の防犯型網戸を提供する。【解決手段】窓の網戸溝に防犯型網戸を設け、玄関や勝手口の外開き戸５の内側に併設する２分割連結式の防犯型網戸１４を、内側に通風と防虫機能の網戸を備え、その外側を防犯機能の強化アルミ等の金属を格子状や模様状にした２重構造を一体にして、ガラス戸に併設し、ガラス戸と防犯鍵でロックする。また、窓の両面にも設置が可能で常時防犯と網戸機能にすることができる。さらに、玄関や勝手口の２分割連結式の防犯型網戸は、勝手口や玄関内部１０を外開き戸幅の半分のスペ−スで開閉し、且つ、内、外側にロックと解除をする錠体８と、ドアチエ−ン１３をつけ、来訪者の確認が容易で防犯と通風に役立つ。【選択図】図２
0003142561.tif 000002
【実用新案登録請求の範囲】
【請求項１】
既存の窓や玄関、勝手口のガラス戸や外開き戸に、通風と防虫の網戸を内側に、その外側に強化アルミ等の金属で格子状や模様状にした防犯機能の２重構造を一体にした防犯型網戸を設け、既存窓の網戸溝に設置し、ガラス戸とロックして常時防犯と網戸機能を維持する、しかも、両面を防犯型網戸にすることもでき、また、玄関や勝手口の外開き戸の内側に２分割連結式の防犯型網戸を併設し、その片方を支持板にヒンジで係止して、玄関や勝手口内部に外開き戸の半分幅で開閉し、その一方を出入り側の支持板に係止し、ロックとドアチエ−ンを備え、来訪者の確認が容易になるところを特徴とする窓や玄関の防犯型網戸。
【考案の詳細な説明】
【技術分野】
【０００１】  本考案は、窓や玄関の防犯機能を備える網戸を設けた、防犯型網戸に関するものである。
【背景技術】
【０００２】  既存の住宅や建物の窓に鍵のない網戸が多く、留守にする場合等はガラス戸を閉めロックした、また、玄関や勝手口を開放して通風するのは防犯上できなかった、さらに、玄関にドアチエ−ンを付けているが宅配や来訪者にドアを開放する場合は無防備になっていた。
【考案の開示】
【考案が解決しようとする課題】
【０００３】  窓や玄関の雨戸、シャッタ−は日中に開放するがガラス戸であっても防犯上は安全ではなく、ガラス戸や網戸には防犯機能がない、従って窓や玄関、勝手口に防犯と網戸の一体化した防犯型網戸を併設することにより常時防犯と通風、防虫ができ来訪者の確認も十分に可能になり前述の欠点を解決しようとするものである。
【課題を解決するための手段】
【０００４】  本考案は、窓の引き戸式のガラス戸や、玄関、勝手口の開き戸式主扉の内側に平行に防犯型網戸を設け、その内側は通風と防虫機能の網戸で、その外側に軽量の強化アルミ等の金属を格子状や模様状にした防犯機能を備え一体にしている、既存の窓の網戸溝に設置し併設する外側のガラス引き戸とロックするようにしている、更に、既存の網戸枠全体に専用の両面用枠の片幅を嵌め込み、その一方を屋外側で固定し防犯型網戸を両面に設置する。また、玄関や勝手口の外開き戸は、内側に２分割連結式の防犯型網戸を併設し、その片方をヒンジで支持板に係止し、玄関ドアの幅半分のスペ−スで内部に開閉自在にしている、その一方は出入り側の支持板でロックし解除する、ドアチエ−ンを設け来訪者の確認もでき問題点を解決している。
【考案の効果】
【０００５】  上述の様に、本考案の防犯型網戸は通風と防虫をするのは勿論、防犯機能を設けたので、引き戸式窓の片面だけでなく、両面に設置することにより窓全体が常時防犯するようになる。玄関、勝手口の外開き戸の内側に２分割連結式の防犯型網戸を併設することにより、その玄関や勝手口内部の開閉スペ−スを外開き戸の半分にして面積を確保している、安全で通風と防虫が常時機能する、しかも、外開き戸にロックと解除し、ドアチエ−ンを設け来訪者の確認も十分にできることにより防犯として役立つ。
【考案の実施するための最良の形態】
【０００６】  防犯型網戸は、内側が網戸で外側を軽量の強化アルミ等の金属のフレ−ムを格子状や模様状にした２重構造を一体化した防犯機能と網戸機能がある。既設窓の引き戸の網戸溝に設置して外側のガラス戸とロックする、また、既存の網戸枠に専用の両面枠の片幅を嵌め込み、その一方を窓枠の屋外側で係止し、左右のガラス戸に併設して窓全体を常時防犯型網戸にする。玄関、勝手口で外開き戸の内側に併設する防犯型網戸は２分割連結式で、ヒンジで２つ折れに連結して、１０の玄関内部に外開き戸の半分のスペ−スで開閉自在にして、その片方を支持板にヒンジで係止する、さらに、その一方を出入り側の支持板に係止しロックする、内、外側に引手を設け、ドアチエ−ンを備え、来訪者の確認が自在となる。
【実施例】
【０００７】  以下、添付図面に従って一実施例を説明する。１は防犯型網戸で内側が網戸で外側を強化アルミ等の金属で格子状や模様状にした防犯機能の２重構造を一体化し、２の網戸溝に設置して、３の防犯鍵を、４の外側のガラス戸とロックする、また、２の網戸枠に専用の両面枠の片幅を嵌め込み、その一方を２の網戸枠の屋外側で固定し、４のガラス戸の外側両面に併設して窓全体が常時、１の防犯型網戸になる。【０００８】  玄関、勝手口で５の外開き戸の内側に併設する１４の２分割連結式の防犯型網戸は、ヒンジで２枚を連結して、その片方を７の支持板にヒンジ６で係止する、さらに、その一方を出入り側の、１１の出入り側支持板に係止し内、外側に、１２の引手を設け、１３のドアチエ−ンを備えている。【０００９】  本考案の一実施例は上述の如き構成からなるものであるから、窓や玄関、勝手口は通常に使用できるのはもちろんであるが、１４の２分割連結式の防犯型網戸は外開き戸５の半分幅のスペ−スで１０の玄関内部を開閉して８の錠体でロックと解除する。
【図面の簡単な説明】
【００１０】
【図１】  本考案の窓や玄関の防犯型網戸の一実施例を示す斜視図である。
【図２】  玄関や勝手口に併設する２分割連結式の防犯型網戸の一実施例の斜視図である。
【符号の説明】
【００１１】１    防犯型網戸
２    網戸溝
３    鍵
４    外側ガラス戸
５    外開き戸
６    ヒンジ
７    支持板
８    錠体
９    壁面
１０  玄関内部
１１  出入り側支持板
１２  引手
１３  ドアチエ−ン
１４  ２分割連結式の防犯型網戸
１５  窓枠
【図１】
0003142561.tif 000003
【図２】
0003142561.tif 000004
(57)【要約】      （修正有）【課題】金融機関、コンビニ店、自動販売機、子供への悪戯、強盗、窃盗犯に対する捜査機関の初動捜査を助け、犯罪の防止効果を高め、行員、店員、子供等が安全に使用できる犯人追跡可能な防犯装置と携帯可能な防犯器具を提供する。【解決手段】電動噴霧器か加湿器の容器に、紫外線反応蛍光顔料か紫外線反応蛍光塗料、若しくは蛍光顔料か蛍光塗料の水溶液を入れておき、そのノズルを窓口のカウンターの下部やレジスター近くのカウンターの下部に設置し、行員や店員がスイッチを入れるとそのノズルから上記の水溶液が噴出して、犯人の知らないうちに犯人の下半身部にその水溶液を振り掛ける事によって、行員、店員の安全を守りつつ、捜査機関の初動捜査に貢献する。また小型の携帯手動嘖霧器に紫外線反応蛍光顔料か紫外線反応蛍光塗料もしくは蛍光顔料か蛍光塗料を入れておき、不審者等に振り掛けて、捜査機関の初動捜査に貢献することもできる。【選択図】図１
0003142569.tif 000002
【実用新案登録請求の範囲】
【請求項１】
電動噴霧器か加湿器の容器に紫外線反応蛍光顔料もしくは紫外線反応蛍光塗料、或いは紫外線反応物質の水溶液を入れておき、スイッチを入れるとその水溶液が噴出して犯人の衣類等に付着する、噴霧器等と紫外線反応蛍光顔料等の水溶液を組み合わせた装置。
【請求項２】
電動噴霧器か加湿器の容器に蛍光顔料もしくは蛍光塗料の水溶液を入れておき、スイッチを入れるとその蛍光顔料、蛍光塗料が噴出して犯人の衣類等に付着する、噴霧器等と蛍光顔料等の水溶液を組み合わせた装置。
【請求項３】
携帯可能の手動式噴霧器の小型容器に紫外線反応蛍光顔料もしくは紫外線反応蛍光塗料、或いは紫外線反応物質の水溶液を入れておき、不審者等に襲われたときその水溶液を不審者等に付着させる、携帯用小型噴霧器と紫外線反応蛍光顔料等の水溶液を組み合わせた器具。
【請求項４】
携帯可能の手動式噴霧器の小型容器に蛍光顔料もしくは蛍光塗料の水溶液を入れておき、不審者等に襲われたときにその不審者に付着させる、携帯用小型噴霧器と蛍光顔料等の水溶液を組み合わせた器具。
【考案の詳細な説明】
【技術分野】
【０００１】本考案は金融機関、コンビニ店、自動販売機、事務所等の強盗、窃盗犯、或いは子供に悪戯する不審者に対する初動捜査における捜査機関の犯罪者への追跡を助ける事はもとより、犯罪の防止に関するものである。
【背景技術】
【０００２】特に、金融機関やコンビニ店、自動販売機における防犯装置として、防犯カメラやカラーボールが設置されているが、昨今の犯罪者は目出し帽を着用し、防犯カメラの映像だけでは犯人の特定が困難になっている。カラーボールは逃走する犯人目がけて投げつける物だが、行員、店員が動転しているため、なかなか犯人に付着させることも困難であり、犯人に逆襲されることもある。罷り間違えば犯人に逆襲されることもある。
又、子供に対する不審者の悪戯も多発しているなど、上記のような犯罪が後を絶たないのが現状である。
【考案の開示】
【考案が解決しようとする課題】
【０００３】金融機関、コンビニ店、自動販売機、子供への悪戯、強盗、窃盗犯に対する捜査機関の初動捜査を助け、犯罪の防止効果を高め、行員、店員、子供等が安全に使用できる犯人追跡可能な防犯装置と携帯可能な防犯器具を提供することにある。
【課題を解決するための手段】
【０００４】本考案は上記の課題を解決するため、金融機関の窓口のカウンターの下部（人間の膝下）に、コンビニ店ではレジスターのカウンター下部、或いは店舗の入り口等に紫外線反応蛍光顔料等の噴出装置を設置して、行員、店員等がスイッチひとつで、安全にその蛍光顔料を犯人に降り掛け、犯人を簡易に特定することにある。
又、不審者に子供が悪戯されそうになったとき、子供が簡易にその不審者に蛍光顔料等を付着させ、不審者を特定することにある。
【考案の効果】
【０００５】本考案の犯人追跡可能防犯装置は金融機関の行員、コンビニ店の店員、子供等の身の安全を守りながら、捜査機関の初動捜査を助けることにより、強盗、窃盗犯等の犯罪の抑止に貢献でき、その防犯装置の取り付けも簡易である。
【考案を実施するための最良の形態】
【０００６】本考案の請求項１と２の一実施形態を図１、図２に示す。
図１の符号１のカウンターの内側下部に符号６の噴出ノズル穴を開け、符号５の噴出ノズルを取り付ける。符号３の電動嘖霧器の容器に紫外線反応蛍光顔料もしくは蛍光顔料等の水溶液符号４を入れておく。符号９のスイッチを入れると、符号１のカウンターの下部から符号７の噴出パイプを伝わって符合４の水溶液が噴出して犯人の下半身下部に降り掛かる。【０００７】本考案の請求項３と４の一実施形態を図３に示す。
携帯用の小型手動式噴霧器符号１２に紫外線反応蛍光顔料もしくは蛍光顔料の水溶液符号４を入れて置き、符号１０のプッシュボタンを押すと符号１１の噴出口から符号４の水溶液が噴出して、不審者に振り掛けるものである。
【図面の簡単な説明】
【０００８】
【図１】「犯人追跡可能防犯装置をコンビニ店等のカウンターに取り付けた内側から見た立体図である」
【図２】「犯人追跡可能防犯装置をコンビニ店等のカウンターに取り付けた外側から見た立体図である」
【図３】「携帯用犯人追跡可能防犯器具の側面図である」
【符号の説明】
１  カウンター
２  レジスター
３  噴霧器
４  水溶液
５  噴出ノズル
６  噴出ノズル穴
７  噴出パイプ
８  電気コンセント
９  スイッチ
１０  プッシュボタン
１１  噴出口
１２  小型手動式噴霧器
【図１】
0003142569.tif 000003
【図２】
0003142569.tif 000004
【図３】
0003142569.tif 000005
(57)【要約】      （修正有）【課題】分光分析用の波長可変半導体レーザ光源を提供する。【解決手段】光共振器の入出射面と光分波器の出射面を間隙をおいて向き合うように配置し、圧電素子上に材料や成分比を違えて発振波長域を変えた複数枚の半導体レーザアレイを並べてその間隙に配置して、各半導体レーザ素子と光共振器および光分波器を光学的にそれぞれ結合している。各半導体レーザ素子は光共振器の位置で決まる波長でそれぞれ安定して発振し、各レーザ光は光分波器で１本の光ファイバに合波されて出力される。圧電素子に電圧を印加してやると、半導体レーザ素子の位置が光共振器に対して微小に変動するため発振波長がわずかに変えられ、同時に光分波器に対しても位置と発振波長が変わるから常に同じ光ファイバから出力される。各半導体レーザ素子を順番に１個ずつ発振させながら圧電素子に印加する電圧を変えてやると、光ファイバから出力されるレーザ光の波長がほぼ連続して変わる。【選択図】図３
0003142566.tif 000002
【実用新案登録請求の範囲】
【請求項１】
光共振器の入出射面と光分波器の出射面を間隙をおいて向き合うように配置し、圧電素子上に材料や成分比を違えて発振波長域を変えた複数枚の半導体レーザアレイを並べてその間隙に配置して、各半導体レーザ素子と光共振器および光分波器を光学的にそれぞれ結合した光源。
【考案の詳細な説明】
【技術分野】
【０００１】  本考案は、分光分析用の半導体レーザ光源に関するものである。
【背景技術】
【０００２】  半導体レーザは他のレーザ装置に較べて小型軽量にもかかわらず、１個あたりの波長の可変範囲が１００ｎｍ程度しかないのが原因で分光分析用光源としてあまり利用されていなかった。分光分析用光源としては幅広い領域で連続して発振波長を変えられるレーザ光源が必要である。
【考案の開示】
【考案が解決しようとする課題】
【０００３】  そこでこの考案は、幅広い領域で発振する半導体レーザ光源を目的としている。
【課題を解決するための手段】
【０００４】  光共振器の入出射面と光分波器の出射面を間隙をおいて向き合うように配置し、圧電素子上に材料や成分比を違えて発振波長域を変えた複数枚の半導体レーザアレイを並べてその間隙に配置して、各半導体レーザ素子と光共振器および光分波器を光学的にそれぞれ結合している。各半導体レーザ素子は光共振器の位置で決まる波長でそれぞれ安定して発振し、各レーザ光は光分波器で１本の光ファイバに合波されて出力される。圧電素子に電圧を印加してやると、半導体レーザ素子の位置が光共振器に対して微小に変動するため発振波長がわずかに変えられ、同時に光分波器に対しても位置と発振波長が変わるから常に同じ光ファイバから出力される。
【考案の効果】
【０００５】  各半導体レーザ素子を順番に１個ずつ発振させながら圧電素子に印加する電圧を変えてやると、光ファイバから出力されるレーザ光の波長がほぼ連続して変わるから、各半導体レーザアレイの発振帯域の範囲で幅広く波長を変えられる。厳密には半導体レーザ素子の発振の切替時に瞬間的に波長の連続性が途切れるが、分光分析の測定には問題はない。
【考案を実施するための最良の形態】
【０００６】  図１は同一基板上に半導体レーザ素子を３個等間隔で並べて形成した半導体レーザアレイを３枚配列した状態の斜視図である。３枚の半導体レーザアレイは材料や成分比が違えてあるので異なった波長帯域で発振する。ＤＦＢタイプと違って内部に格子が形成されていないので、このままでは複数の波長で発振するから、外部に光共振器を置いて発振波長を決める必要がある。その光共振器を従来の厚さ方向と直角の幅方向で発振波長を変えると、合計９個の半導体レーザ素子は少しずつ違った波長のレーザ光を出力する。各半導体レーザ素子を順番に発振させると、ほぼ等間隔の波長でレーザ光が得られる。【０００７】  図２は連続波長可変半導体レーザ光源の正面図である。屈折率の大きいコア層を屈折率の小さいクラッド層ではさんだ構造の平面光伝送路の周囲の壁面に球面反射鏡と回折格子を形成した光共振器の入出射面と、同様に球面反射鏡と回折格子を形成した光分波器の出射面を間隙をおいて向き合うように配置し、圧電素子上に３枚の半導体レーザアレイを並べてその間隙に配置して、各半導体レーザ素子と光共振器および光分波器を光学的にそれぞれ結合している。【０００８】  図３は連続波長可変半導体レーザ光源の正面図の平面図である。左が光分波器、右が光共振器であり、光共振器の入出射面と光分波器の出射面とを間隙をおいて向き合うように連続波長可変半導体レーザ光源の基板上に配置し、３枚の半導体レーザアレイをその間隙に配置して、各半導体レーザ素子の両端面と光学的にそれぞれ結合している。ここでは半導体レーザアレイは材料や成分比の異なる３枚を並べて配置して合計９個の半導体レーザ素子が並べてあるので３００ｎｍの範囲で発振できる。実用上はもっと個数を増やして範囲を広くできる。分波器の入射面に光ファイバを接続してレーザ光を合波して出力する。【０００９】  １個の半導体レーザ素子に電流を流して発振させると、右側の端面からのレーザ光が光共振器の入出射面に入り、光共振器のコア層内で球面反射鏡により並行光線になり、回折格子で回折されてから再び球面反射鏡で集光されて元の入出射面の位置に戻って、元の半導体レーザ素子に戻る。この光共振器の入出面の位置で出力されるレーザ光の発振波長が決まる。そのレーザ光が左側の端面から出力されて光分波器の出射面に入り、光分波器のコア層内で球面反射鏡より並行光線になり、回折格子で回折されから再び球面反射鏡で集光されて入射面に接続した光ファイバから出力される。圧電素子に電圧を印加すると、半導体レーザ素子の位置が光共振器に対して幅方向に微小に変動するため発振波長がわずかに変えられ、同時に光分波器に対しても位置と発振波長が変わるから常に同じ光ファイバから出力される。各半導体レーザ素子を順番に１個ずつ発振させながら圧電素子に印加する電圧を変えてやると、光ファイバから出力されるレーザ光の波長がほぼ連続して変わるから、各半導体レーザアレイの発振帯域の範囲で幅広く波長を変えられる。全部の半導体レーザ素子を同時に発振させながら圧電素子を周期的に変動させると、全発振帯域を短時間で掃引できる。
【図面の簡単な説明】
【００１０】
【図１】  ３枚の半導体レーザアレイの斜視図である。
【図２】  半導体レーザアレイ光源の正面図である。
【図３】  半導体レーザアレイ光源の平面図である。
【符号の説明】
【００１１】１    半導体レーザアレイの基板
２    半導体レーザ素子
３    半導体レーザアレイ
４    半導体レーザ光源の基板
５    コア層
６    クラッド層
７    光共振器の球面反射鏡
８    光共振器の回折格子
９    光共振器
１０  光共振器の入出射面
１１  光分波器の球面反射鏡
１２  光分波器の回折格子
１３  光分波器
１４  光分波器の出射面
１５  圧電素子
１６  光分波器の入射面
１７  光ファイバ
１８  レーザ光
【図１】
0003142566.tif 000003
【図２】
0003142566.tif 000004
【図３】
0003142566.tif 000005
(57)【要約】      （修正有）【課題】ＬＥＤ照明装置を内蔵させる事によって、照明による水温上昇を抑えつつ装飾効果を上げ、さらに観賞魚・珊瑚・水草等の育成を促進させることが出来る観賞用水槽蓋を提供する。【解決手段】観賞用水槽６の蓋にＬＥＤのサイドライト構造のバックライトユニットで構成される光ガイドパネルで構成される本体１を使用することによって、省電力でありながら鑑賞用水槽６の全体を均一の輝度で照らすことが可能になり、コントロール基板１０でスペクトル構成を選択して、装飾性と飼育性をともに満足させることに役立つ。【選択図】図１
0003142565.tif 000002
【実用新案登録請求の範囲】
【請求項１】
観賞用水槽において、その上部を覆う蓋であって、尚且つ水槽照明用の高輝度ＬＥＤ素子を有し、蓋の前面を均一にムラ無く照らすことが出来る方式で構成したことを特徴とするＬＥＤ照明装置付き観賞用水槽蓋。
【請求項２】
高輝度ＬＥＤ素子の、異なる発光色の素子を適宜選択し、コントロール基板を配置して発光色を変化させることが可能になることを特徴とする請求項１記載のＬＥＤ照明装置付き観賞用水槽蓋。
【考案の詳細な説明】
【技術分野】
【０００１】  本考案は、水槽用照明装置の改良に関する。
【背景技術】
【０００２】  従来、観賞魚や珊瑚や水草等を収納する観賞用水槽には照明装置として種々の構造のものが実施されている。例えば一般には、水槽内部に酸素を供給する酸素供給器や水質を保持する為の濾過器を設け、さらにその水槽の上部に蛍光灯照明器具を配置して構成してある。
【考案の開示】
【考案が解決しようとする課題】
【０００３】  しかし、上記した水槽用照明装置によると、蛍光灯の光が水槽内部に投射されているが、水温を上昇させるためにある程度間隔を開けざるを得ない。間隔を開けると観賞魚の飛び出しを防ぐために蓋をする必要が出てきて、その蓋のために照明効率が落ちてしまい装飾効果も得られないという欠点がある。【０００４】  水温上昇を抑え、装飾効果を得るために、ＬＥＤ内蔵型の蓋を考案した  特許公開平１０−１６２６０９  のようなものもあるが、蓋一面にＬＥＤ素子を敷詰める事によって均一に光らせることとしているため、敷詰めたＬＥＤ素子１点１点が光っており、数多くの輝点が水面に映ってしまうという欠点がある。
【課題を解決するための手段】
【０００５】  請求項１に記載の考案は、特許第３５００４６６号にある、ＬＣＤ導光板用カッター及び、特許第３４６３０６０号にある、Ｖカッター用ピンキットの方式を利用して、水槽の上口の大きさで作成した、サイドライト構造のバックライトユニットで構成される光ガイドパネルを蓋にすることによって、蓋前面が均一の輝度を有し、さらに輝点が水面から見えないように構成してある。【０００６】  請求項２に記載の考案は、使用するＬＥＤ素子をＲ（赤）、Ｇ（緑）、Ｂ（青）、を順番に配置し、その点灯をコントロールする基板を設けて、構成してある。
【考案の効果】
【０００７】  上述のように、本考案のＬＥＤ照明装置付き観賞用水槽蓋は、水槽の蓋としての役割を果たす事は勿論、ＬＥＤサイドライト構造のバックライトユニットで構成される光ガイドパネルを使用したことにより、水槽の水温を上昇させる事無く、均一の輝度を保った照明装置として観賞魚や水草、無脊椎動物を飼育する事に役立つ。【０００８】  コントロール基板とＲ（赤）、Ｇ（緑）、Ｂ（青）のＬＥＤ素子を並べることにより、観賞用水槽の装飾性が向上する事は勿論、その観賞用水槽で飼育する生物にとって一番適したスペクトル光による照明を構成することが可能になる為、鑑賞用水槽の演出と水草や無脊椎動物の育成を促進する事に役立つ。
【考案を実施するための最良の形態】
【０００９】  以下に図を示して本考案の実施例を説明する。図１において、１はＬＥＤ照明装置付き観賞用水槽蓋本体である。本体は図２の前面、図３の裏面で構成されており、３の電源コードと、４のＡＣアダプター、５の電源コンセントによって、家庭用電源コンセントより電力を得て内蔵する７のＬＥＤ素子を発光させている。【００１０】  ７のＬＥＤ素子は、側面から発光しているが、Ｖカットされた８の縦溝と９の横溝の組み合わせによって、図２の前面が均一に発光する。裏面である図３において、２の放熱テープによって熱を放熱する。【００１１】  図５、図６の既存のＬＥＤパネルは、敷詰めた個々のＬＥＤ素子が輝点となってしまうが、図４にもあるサイドライト構造のバックライトユニットで構成される光ガイドパネルを使用することにより水面のちらつきや、生体に及ぼす影響を排除できる。
【実施形態の効果】
【００１２】  ＬＥＤ素子の数が少ないため、軽量であり省電力で発熱も少ない。
【００１３】  水温上昇の心配がないため、水面直上にまで照明を近接設置できる。
【図面の簡単な説明】
【００１４】
【図１】ＬＥＤ照明装置付き観賞用水槽蓋実施例
【図２】ＬＥＤ照明装置付き観賞用水槽蓋正面（発光面）図
【図３】ＬＥＤ照明装置付き観賞用水槽蓋裏面（放熱面）図
【図４】ＬＥＤ照明装置付き観賞用水槽蓋側面（透視図）図
【図５】ＬＥＤ照明装置付き観賞用水槽蓋現行正面（発光面）図
【図６】ＬＥＤ照明装置付き観賞用水槽蓋現行側面（透視図）図
【符号の説明】
【００１５】  １  ＬＥＤ照明装置付き観賞用水槽蓋本体
２  放熱テープ
３  電源コード
４  ＡＣアダプター
５  電源コンセント
６  観賞用水槽
７  高輝度ＬＥＤ素子
８  Ｖカット縦溝
９  Ｖカット横溝
１０  コントロール基板
【図１】
0003142565.tif 000003
【図２】
0003142565.tif 000004
【図３】
0003142565.tif 000005
【図４】
0003142565.tif 000006
【図５】
0003142565.tif 000007
【図６】
0003142565.tif 000008
(57)【要約】      （修正有）【課題】芝生の表面に土が露出せず、芝生を枯らさず、早く、きれいに、楽に、芝生の根切り作業ができる芝生の根切り機を提供する。【解決手段】本体１の刃２の部分に芝生押え板金３を設け、これを支持するシャフト４をナット６にて接続する。更に、シャフト４には、スプリング５を通し、ボルト８にてスプリング５を定位置に維持する。これを、本体１の管の中に内蔵して、ネジ７にて定位置に維持する。【選択図】図１
0003142556.tif 000002
【実用新案登録請求の範囲】
【請求項１】
芝生の根切り機本体の刃の部分に、芝生押え板金を設け、これをスプリングを通したシャフトに連接させて、刃の部分に芝生押え板金が上下することのできる芝生の根切り機。
【考案の詳細な説明】
【技術分野】
【０００１】  本考案は、芝生の根切り機に関する
【背景技術】
【０００２】  従来の芝生の根切り機の刃を土中に差し込んで、引き抜くとき、芝生の表面に土が一緒に露出したり、土や芝が盛り上がって、仕上がりも悪い、と言う欠点があった。
芝生に刺し込んだ根切り機の刃を、引き抜く労力も、これを何度も繰り返す作業の為その都度、大きな労力を要し、時間もかかり、大変な作業であった。
【考案の開示】
【考案が解決しようとする課題】
【０００３】    これには次のような欠点があった。
（イ）根切り機の刃を、刺し込んで引き抜くと、芝生の表面に、土も露出してしまう。
更に、芝生や土が盛り上ってしまい、芝生が枯れたり、表面に凹凸ができてしまう。
（ロ）土中に刺し込んだ根切り機の刃の引き抜きに労力を要する。
【課題を解決するための手段】
【０００４】  本体（１）の刃（２）の部分に芝生押え板金（３）を設け、これを支持するシャフト（４）をナット（６）にて接続する。更に、シャフト（４）には、スプリング（５）を通し、ボルト（８）にてスプリング（５）を定位置に維持する。
これを、本体（１）の管の中に内蔵してネジ（７）にて定位置に維持する。
本発明は、以上の構成よりなる芝生の根切り機である。
【考案の効果】
【０００５】  本発明を使用する事で、芝生の表面に、刃を刺し込んでも、スプリングの反発力で少しの力で、引き抜けて、更に芝生を押えながら、刃を引き抜く為、芝生の表面に土が露出せず、芝生を枯らさず、早く、きれいに、楽に、芝生の根切り作業ができる。
これらの連続的な作業には、スプリングの反発力と、芝押え板金が大きな効果として作用している。
【考案を実施するための最良の形態】
【０００６】  （イ）本体（１）から出ている刃（２）の先端部分に芝生押え板金（３）を設ける。
これをシャフト（４）に連結して、芝生押え板金（３）の位置を支持する。
（ロ）シャフト（４）には、プリング（５）を通し、ボルト（８）を、スプリング（５）を通したシャフト（４）の上下に設けて、スプリング（５）の位置を維持させる。
（ハ）本体（１）には、ネジ（７）を取付けて、シャフト（４）の位置を維持させる。
（ニ）芝押え板金（３）は、刃（２）の部分を通すように、穴を設け、スプリング（５）の伸縮に伴い、芝押え板金（３）は、刃（２）の部分を上下に作動する。
本発明は、以上の構成よりなる。
本発明を使用する場合、芝生や土中に、刃（２）の部分を刺し込み、引き抜く場合はスプリング（５）の反発力が加わるので、力を少し加えるだけで引き抜ける。
また、その時、スプリングの反発力により芝生押え板金（３）が、芝生と、その下の土を押えつけるので、刃（２）の引き抜きの際に芝生が持上げられたり、土が芝生の表面に露出するのを防げた。
何度も繰り返す作業だが、本発明を使用すれば、早く、きれいに、楽に仕上る。
【産業上の利用可能性】
【０００７】  （イ）構造が簡単で、部品数も少ないので、低価格で大量生産が可能。
（ロ）芝生の植えられている公園、ゴルフ場、庭等の芝生の維持管理用として安価に使用可能。
【図面の簡単な説明】
【０００８】
【図１】  本発明の斜視図
【図２】  本発明を作動させた状態の斜視図
【符号の説明】
【０００９】（１）  本体
（２）  刃
（３）  芝押え板金
（４）  シャフト
（５）  スプリング
（６）  ナット
（７）  ネジ
（８）  ボルト
【図１】
0003142556.tif 000003
【図２】
0003142556.tif 000004
(57)【要約】      （修正有）【課題】干物を付けたまま簡易に畳め、格納後容易に吊下げ展開できる折畳み角ハンガーを提供する。【解決手段】主枠を内側で支える小梁が互いに三角形を成す様に施され、かつ主枠の四隅を桟で吊り、なお  中程を鎖で吊る構造。  又  必要があれば  桟に平板を付け  小雨や小雪など上空からの落下物を防ぐ。【選択図】図２
0003142551.tif 000002
【実用新案登録請求の範囲】
【請求項１】
折畳み角ハンガーの主枠を内側で支える小梁が互いに三角形を成す様に施され、かつ折り畳み角ハンガーの中程を鎖で吊り、四隅を桟で吊り、その上に平板を載せる構造。
【考案の詳細な説明】
【技術分野】
【０００１】  本考案は、折畳み角ハンガーについて  干物が付いたまま素旱く取り込む工夫である。
【背景技術】
【０００２】  従来  折畳み角ハンガーは  俄か雨など急ぎ取り込まねば成らない時には  やむなく、干物が付いたまま折畳んで収容せねばならない。しかし  折畳み角ハンガーは  一般に、片手で吊手を持ち  片手で折畳むには不都合な構造である。【０００３】  先ず  折畳み角ハンガーは  干物が付いたまま畳んだ姿勢が  素直な状態でなければ成らず、更に  収容先で直ちに吊り下げ可能でなければ成らない。
【考案の開示】
【考案が解決しようとする課題】
【０００４】  干物を付けたまま折畳むなど主枠は  平常時と異なる力が加わるが、それらに耐える構造と  それでも  尚且つ  風通しが良くなければならない。【０００５】  折畳み角ハンガーを谷折りするには両手が必要で、片手は既に吊手を持っているから両手で折畳むのは無理で、山折ならば  残る片手で中央を揚げれば可能となる。そこで山折可能な折畳み角ハンガーの  中央蝶番の力学的負担を軽減する吊下部材が必要だが、折畳み角ハンガーの四隅を吊る部材と  展開時・山折時矛盾しない構造が必要である。
【課題を解決するための手段】
【０００６】  方形に配置される主枠に対し、その内側で支える小粱が互いに三角形を成す様に施され、方形を四辺形に歪ませる力に対抗させる。【０００７】  山折可能な折畳み角ハンガーの山折時動作から、四隅吊下部材は桟が望ましい。だから山折時  中央蝶番付近の吊下部材は鎖が望ましい。
【考案の効果】
【０００８】  四隅吊下部材の桟は  展開時・山折時共に  その姿勢を望ましい状態に保ちやすく、中央吊下部材の鎖は  展開時・山折時の距離の変化に対応するのに適している。
【考案を実施するための最良の形態】
【０００９】  主枠を内側で支える小梁が互いに三角形を成す様に施され、かつ主枠の四隅を桟で吊り、なお  中程を鎖で吊る構造。
又  必要があれば  桟に平板を付け  小雨や小雪など上空からの落下物を防ぐ。
【実施例１】
【００１０】  図１のように  小梁が三角に施され、主枠が四隅を桟で、中程を鎖で吊られた構造。
【実施例２】
【００１１】  図２のように  主枠を吊る桟に  主枠一杯の平板を付け  上方からの落下物を防ぐ構造。
【産業上の利用可能性】
【００１２】  生産現場など  小型軽量で多数を同時に処理せねばならない場合、例えば洗浄、染付、鍍金、塗装など、対象物を一時同一平面状に並べ配置する場合が有るが、同様な治具を使うが、対象物をはずした後  ハンガーを自動的に畳み格納するのに好都合である。他方主枠を吊る桟に平板を付ける事で  雨、埃など落下物から対象物を守る機能を付与できる。
【図面の簡単な説明】
【００１３】
【図１】小梁が三角に施され、主枠が四隅を桟で、中程を鎖で吊られた構造。およびそれが折畳まれた状態。
【図２】主枠を吊る桟に  主枠一杯の平板を付け  上方からの落下物を防ぐ構造。および  それが折畳まれた状態。
【符号の説明】
【００１４】    １  主枠
２  小梁
３  桟
４  鎖
５  平板
【図１】
0003142551.tif 000003
【図２】
0003142551.tif 000004